(57)【要約】【課題】  ケース内に配設される温水タンクを有効に利用してケース上面部に人が乗るといった大きな荷重がかかった場合にケースが損傷しないように確実に効果的支持することができ。【解決手段】  ケース１内に温水タンク２を設置すると共に洗浄ノズル３を備えた装置本体４と、装置本体４のケース１に回転可能に取付けた便座５とを備えた温水洗浄便座装置である。重力方向の荷重がケース１上面部に作用した際に該ケース１に作用する荷重を支持するための支持部６を温水タンク２に設ける。【選択図】        図１
2006016823.tif 000002
【特許請求の範囲】
【請求項１】
ケース内に温水タンクを設置すると共に洗浄ノズルを備えた装置本体と、装置本体のケースに回転可能に取付けた便座とを備えた温水洗浄便座装置において、重力方向の荷重がケース上面部に作用した際に該ケースに作用する荷重を支持するための支持部を温水タンクに設けて成ることを特徴とする温水洗浄便座装置。
【請求項２】
ケース上面部の略中央部に対応した位置に支持部を配置して成ることを特徴とする請求項１記載の温水洗浄便座装置。
【請求項３】
温水タンクの上部に上方に向けてリブを突設し、該リブをケースに作用する荷重を支持するための支持部として成ることを特徴とする請求項１又は請求項２記載の温水洗浄便座装置。
【請求項４】
ケースの上面部の背面と支持部との間に隙間を形成し、重力方向の荷重４００〜７００Ｎがケース上面部に作用してケースの上面部が下方に撓んだ際にケース上面部の背面が支持部に当接するように設定して成ることを特徴とする請求項１乃至請求項３のいずれかに記載の温水洗浄便座装置。
【請求項５】
ケース上面部に温水洗浄便座の表示部又は人体検知センサを設けると共に該ケース上面部の背面側に上記表示部又は人体検知センサの制御回路板を取付け、制御回路板の取付け部分の両側方の部位に対応する位置に温水タンクの支持部を配置し、ケース上面部の背面に取付けた制御回路板と温水タンクとの間の隙間の寸法を、ケース上面部の背面の制御回路板の取付け部分の両側方の部位と上記支持部との間の隙間の寸法よりも大きくして成ることを特徴とする請求項４記載の温水洗浄便座装置。
【請求項６】
ケース上面部の背面よりも下方位置で且つ支持部と同じレベルか又は支持部よりも上方位置に、ケースの下方への撓み変形によりケースが接触することで温水洗浄便座装置の電源をオフにするための接触センサを設けて成ることを特徴とする請求項１乃至請求項５のいずれかに記載の温水洗浄便座装置。
【請求項７】
温水タンクの上面部に弾性部材を設け、該弾性部材の上端を支持部よりも上方に位置させて成ることを特徴とする請求項４記載の温水洗浄便座装置。
【請求項８】
ケース上面部の背面側に横ずれ防止部を設け、温水タンクの上面部に上記横ずれ防止部と横方向に対向してケースの横方向のずれの際に横ずれ防止部が当接する横ずれ防止用当たり部を設けて成ることを特徴とする請求項１乃至請求項７のいずれかに記載の温水洗浄便座装置。
【請求項９】
温水タンクの側壁の直上に支持部を設けて成ることを特徴とする請求項１乃至請求項８のいずれかに記載の温水洗浄便座装置。
【発明の詳細な説明】
【技術分野】
【０００１】
本発明は、温水洗浄便座において、ケースに人が乗ったりした場合にケースが損傷するのを防止するための技術に関するものである。
【背景技術】
【０００２】
従来からケース内に温水タンクを設置すると共に洗浄ノズルを備えた装置本体と、装置本体のケースに回転可能に取付けた便座とを備えた温水洗浄便座装置が知られている。
【０００３】
この温水洗浄便座装置において、本来は温水洗浄便座装置のケースの上面部に誤って人が乗ったりすることがある。この場合、ケースが所定量以上変形して白化したり、あるいは変形、破損したりする恐れがある。これを防止するにはケースの肉厚を厚くしたり、ケースの上面部の背面に補強リブを設けたりする必要があるが、使用樹脂量が増大して製品コストが高くなり、また、ケースの上面部の背面に補強リブを設けるとケースの成形時に不完全な製品が発生しやすく、しかも表面に部分的にヒケなどのスジが発生しやくて外観が低下してしまって商品価値が低下してしまうという問題がある。
【０００４】
そこで、従来から、回路基板を収納した回路基板収納枠に支持部材を上方に向けて突設し、この回路基板収納枠をケースの底板部に突設した支柱にねじで固着し、回路基板収納枠に突設した支持部材をケースの上面部の背面に当接させ、ケースの上面部にかかる荷重を回路基板収納枠に設けた支持部材で支持するようにしたものが特許文献１により提案されている。
【０００５】
ところが、この従来例にあっては、ケースの上面部にかかる荷重を回路基板収納枠により支持するものであるから、大きな荷重、例えば、成人がケースの上面部に乗った場合など、回路基板収納枠が変形する恐れがあり、回路基板収納枠が少しでも変形すると、回路基板が変形して回路基板が損傷して正常な制御ができない恐れがある。
【０００６】
また、上記従来例にあっては、ケースの上面部に荷重が作用しない状態においても支持部材をケースの上面部の背面に当接させるものであるから、底板部に対して上ケース部を取付けてケースを組み立て構成するに当たって、各部材の成形誤差や組み立て誤差等により取付けることができなかったり、あるいは無理して取付けることで、上ケース部の上記支持部材が当接する部分が上方に変形したりするおそれがある。
【特許文献１】特開平９−４０１６号公報
【発明の開示】
【発明が解決しようとする課題】
【０００７】
本発明は上記の従来の問題点に鑑みて発明したものであって、ケース内に配設される温水タンクを有効に利用してケース上面部に人が乗るといった大きな荷重がかかった場合にケースが損傷しないように確実且つ効果的に支持することができ、また、各部材の成形誤差や組み立て誤差等があっても、確実に組み立てることができると共にケース上面部に大きな荷重がかかった場合にケースが損傷しないように支持でき、また、ケース上面部に大きな荷重がかかった場合にケースを支持すると同時に電源をオフにして万一の場合における電気的トラブルが無いようにでき、更に、ケースの横方向のずれも防止して、ケースの変形や損傷を確実に防止でき、更に、上方からの荷重を温水タンクの側壁で安定して支持して下方にスムーズに伝達できて温水タンクの変形を抑制できる温水洗浄便座装置を提供することを課題とするものである。
【課題を解決するための手段】
【０００８】
上記課題を解決するために本発明に係る温水洗浄便座装置は、ケース１内に温水タンク２を設置すると共に洗浄ノズル３を備えた装置本体４と、装置本体４のケース１に回転可能に取付けた便座５とを備えた温水洗浄便座装置１４において、重力方向の荷重がケース１上面部に作用した際に該ケース１に作用する荷重を支持するための支持部６を温水タンク２に設けて成ることを特徴とするものである。
【０００９】
このような構成とすることで、装置本体４のケース１の上面部に誤って人が乗ったりしてもケース１にかかる荷重を温水タンク２に設けた支持部６で支持して、ケース１の変形を抑制し、ケース１が過剰に撓んで変形することにより白化したり、あるいは損傷したりしないようにでき、このようにケース１の変形を抑制するに当たり、ケース１内に備わっている温水タンク２を利用してケース１に作用する荷重を支持できるので、別途特別な支持部材を必要としないのみならず、温水タンク２は水を保管するため厚肉に形成されており、しかも、タンク構造であるため、支持強度も強いものであり、これにより、剛性を上げるためにケース１を厚肉に形成したり、リブを設けるといった必要がなく、装置本体４の小型化が可能となる。また、上記のように厚肉で且つ構造的に強度の強いタンク構造の温水タンク２でケース１に作用する重力方向の荷重を支持するので、従来のように回路基板収納枠に突設した支持部材でケースに作用する荷重を支持するもののようにケースに大きな荷重が作用しても回路基板に悪影響を与えることがない。
【００１０】
また、ケース１上面部の略中央部に対応した位置に支持部６を配置することが好ましい。
【００１１】
このような構成とすることで、ケース１上面部に作用した重力方向の荷重を効果的に支持部６で支持できる。
【００１２】
また、温水タンク２の上部に上方に向けてリブ７を突設し、該リブ７をケース１に作用する荷重を支持するための支持部６とすることが好ましい。
【００１３】
このような構成とすることで、温水タンク２で確実にケース１上面部に作用した重力方向の荷重を受けることができて、品質の安定化を図ることができる。
【００１４】
また、ケース１の上面部の背面と支持部６との間に隙間ｔ１を形成し、重力方向の荷重４００〜７００Ｎがケース１上面部に作用してケース１の上面部が下方に撓んだ際にケース１上面部の背面が支持部６に当接するように設定してあることが好ましい。
【００１５】
このようにケース１の上面部の背面と支持部６との間に隙間ｔ１が形成してあるので、通常は温水タンク２の支持部６がケース１の上面部に直接接触せず、温水タンク２内で温められた水の熱が温水タンク２の支持部６を通してケース１、外気に逃げることを防止できるものであり、また、温水タンク２、ケース１といった各部材の製造誤差や組み立て誤差等があっても、上記隙間ｔ１によりこれらの製造誤差や組み立て誤差を吸収できるものであり、しかも、重力方向の荷重４００〜７００Ｎがケース１上面部に作用してケース１の上面部が下方に撓んだ際にケース１上面部の背面が支持部６に当接するように設定してあるので、大人（平均的な大人の体重は約４０〜約７０ｋｇである）が誤ってケース１上面部に乗ってケース１上面部に重力方向の荷重４００〜７００Ｎが作用した場合に、ケース１が下方に撓むが支持部６により支持されるので、それ以上ケース１が過剰に撓んで変形するのが防止され、白化が生じたり、損傷したりするのが確実に防止できる。
【００１６】
また、ケース１上面部に温水洗浄便座装置１４の表示部８又は人体検知センサを設けると共に該ケース１上面部の背面側に上記表示部８又は人体検知センサの制御回路板９を取付け、制御回路板９の取付け部分の両側方の部位に対応する位置に温水タンク２の支持部６を配置し、ケース１上面部の背面に取付けた制御回路板９と温水タンク２との間の隙間ｔ２の寸法を、ケース１上面部の背面の制御回路板９の取付け部分の両側方の部位と上記支持部６との間の隙間ｔ１の寸法よりも大きくすることが好ましい。
【００１７】
このような構成とすることで、ケース１上面部に作用した重力方向の荷重でケース１の上面部が下方に撓んで温水タンク２に設けた支持部６に当たって支持されるのであるが、この場合、ケース１の上面部の背面側に設けた制御回路板９が温水タンク２や支持部６に衝突せず、制御回路板９が破損することがない。
【００１８】
また、ケース１上面部の背面よりも下方位置で且つ支持部６と同じレベルか又は支持部６よりも上方位置に、ケース１の下方への撓み変形によりケース１が接触することで温水洗浄便座装置１４の電源をオフにするための接触センサ１０を設けることが好ましい。
【００１９】
このような構成とすることで、ケース１上面部に重力方向の荷重が作用した時、ケース１が撓んで接触センサ１０によりこれを検知して温水洗浄便座装置１４の電源をオフにして使用者の安全を図ることができる。
【００２０】
また、温水タンク２の上面部に弾性部材１１を設け、該弾性部材１１の上端を支持部６よりも上方に位置させることが好ましい。
【００２１】
このような構成とすることで、ケース１上面部に重力方向の荷重が作用した場合、弾性部材１１により衝撃を緩衝することができると共に、上方から作用する荷重を支持部６で支持するだけでなく弾性部材１１により分散して温水タンク２上面部に伝えて支持でき、温水タンク２の一部に集中荷重がかかるのを防止し、温水タンク２が破壊されるのを防止できる。
【００２２】
また、ケース１上面部の背面側に横ずれ防止部１２を設け、温水タンク２の上面部に上記横ずれ防止部１２と横方向に対向してケース１の横方向のずれの際に横ずれ防止部１２が当接する横ずれ防止用当たり部１３を設けることが好ましい。
【００２３】
このような構成とすることで、ケース１上面部に重力方向の荷重が作用した場合にケース１の上面部が横方向にずれるのを防止することができる。
【００２４】
また、温水タンク２の側壁２ａの直上に支持部６を設けることが好ましい。
【００２５】
このような構成とすることで、ケース１上面部に重力方向の荷重が作用した場合、荷重を支持部６から温水タンク２の側壁２ａに直接伝えることができ、温水タンク２の上面部に荷重が集中してかかることによって温水タンク２が破壊するのを防止できる。
【発明の効果】
【００２６】
本発明は、上記のように構成したので、装置本体のケースの上面部に誤って人が乗ったりしてもこのケースにかかる荷重を温水タンクで支持して、ケースの変形を最小限として、ケースが限度以上に過剰に撓んで白化したり、あるいは損傷したりするのを防止し、温水タンクを利用してケースに作用する荷重を支持するので、別途特別な支持部材を必要としないのみならず、温水タンクは水を保管するため厚肉に形成されており、しかも、タンク構造であるため、支持強度が強く、これにより、ケースを厚肉に形成したり、リブを設けるといった必要がなくて、装置本体の小型化が可能となるという利点があり、また、従来のように回路基板収納枠に突設した支持部材でケースに作用する荷重を支持するもののようにケースに大きな荷重が作用しても回路基板に悪影響を与えることがなく、安定して確実にケースにかかる荷重を支持できるという利点がある。
【発明を実施するための最良の形態】
【００２７】
以下、本発明を添付図面に示す実施形態に基いて説明する。
【００２８】
温水洗浄便座装置１４は装置本体４に便座５、便蓋１６をそれぞれ軸部４０、４１で回動可能に取付けて構成してあり、図４に示すように、便器１５の後部上面に装置本体４を取付けることで温水洗浄便座装置１４を便器１５に取付けるようになっている。図４（ａ）は便座５、便蓋１６を倒した状態を示し、使用に当たっては、例えば図４（ｂ）のように便蓋１６を起立させて、便座５は倒した状態にして使用したり、あるいは図示を省略しているが便蓋１６、便座５の両方を起立させた状態で使用したりする。
【００２９】
装置本体４はケース１内に温水タンク２を設置すると共に温水タンク２内の温水を洗浄水として吐出する洗浄ノズル３を備えたもので、ケース１内には更に乾燥装置２７、温水洗浄便座装置１４の各電気部品を制御するための制御部２９、電動開閉機構３０、脱臭装置３５、給水弁３６、その他の配管ボックス３７、配線等が組み込んである。
【００３０】
装置本体４の外殻を構成するケース１は下ケース部１７と上ケース部１８とを組み合わせて構成してあり、下ケース部１７は底板部１９の周囲部に立ち上がり部２０を設け、この立ち上がり部２０に下連結部２１が設けてある。
【００３１】
この下ケース部１７に図１、図２（ａ）のように上記した温水タンク２を設置し、洗浄ノズル３、乾燥装置２７、温水洗浄便座装置１４の各電気部品を制御するための制御部２９、電動開閉機構３０、脱臭装置３５、給水弁３６、その他の配管ボックス３７、配線等が組み込んである。
【００３２】
下ケース部１７に温水タンク２を設置するに当たって、添付図面に示す実施形態では、底板部１９から一体に複数の支柱２４を立設し、該複数の支柱２４に温水タンク２の側壁２ａに設けた載置部３９を載置し、ねじ具３８により載置部３９と支柱２４を固着することで温水タンク２を下ケース部１７に取付けてある。
【００３３】
上ケース部１８は上面部１８ａの周囲から側壁部１８ｂを一体に垂設して下方が開口した略容器状に構成してあり、側壁部１８ｂの下端部に上連結部２２が設けてある。
【００３４】
下ケース部１７に上ケース部１８を被せ、下連結部２１に上連結部２２に連結することでケース１を組み立て構成してある。
【００３５】
下連結部２１、上連結部２２は例えば、図６（ａ）、（ｂ）のようなものであり、下連結部２１の支持段部２１ａに上連結部２２の嵌合段部２２ａを嵌合させて上連結部２２の荷重を下連結部２１により支持できるようにしてあり、上連結部２２の一部に図６（ａ）（ｂ）に示すように挟持用リブ２２ｂを設けて上連結部２２と挟持用リブ２２ｂとで下連結部２１を横方向において挟持し、更に、図６（ｂ）に示すように上連結部２２の一部に設けた係止爪２２ｃを下連結部２１の係止溝２１ｃに係止し、更に、必要に応じて図６(ａ）のように下連結部２１と上連結部２２の任意の箇所をねじ具３７により連結する。もちろん、下連結部２１、上連結部２２は上記の実施形態にのみ限定されるものではない。
【００３６】
下ケース部１７に設置した温水タンク２には、重力方向の荷重がケース１上面部に作用した際に該ケース１に作用する荷重を支持するための支持部６が設けてあり、添付図面に示す実施形態では、温水タンク２の上面部２ｂに該上面部２ｂと一体にリブ７を設けて、このリブ７を支持部６としてある。
【００３７】
ケース１の上面部の背面と支持部６を構成するリブ７の上端との間には隙間ｔ１が形成してあり、この隙間ｔ１の寸法は、上ケース部１８の上面部１８ａに大人が誤って乗った場合、（つまり、平均体重略４０ｋｇ〜７０ｋｇの大人が上ケース部１８の上面部１８ａに誤って乗った場合）、上ケース部１８の上面部１８ａに重力方向の荷重４００〜７００Ｎが作用して上ケース部１８の上面部１８ａが下方に撓んだ際に上ケース部１８の上面部１８ａの背面が支持部６に当接するような隙間寸法に設定してある。
【００３８】
例えば、上ケース部１８をＰＰ（ポリプロピレン）により形成し、厚みが２．０〜３．５ｍｍとした場合、上記隙間ｔ１の寸法を１ｍｍ〜５ｍｍ、好ましくは約３ｍｍに設定するものである。なお、実施形態では図５において上ケース部１８の寸法が、Ｌ＝３４０ｍｍ、Ｂ＝３２０ｍｍ、Ｈ＝１２０ｍｍで厚みが３ｍｍであり、上記隙間ｔ１は３ｍｍである。
【００３９】
ここで、隙間寸法が１ｍｍ未満の場合、各部材の製造誤差、組み立て誤差、反り等を吸収できず、ケース１の組み立てができないような事態が生じるので好ましくない。また、隙間寸法が５ｍｍを越えると、ポリプロピレン製の上ケース部１８の上面部１８ａが限度以上に過剰に撓んで変形して白化が生じるので好ましくない。
【００４０】
しかして、装置本体４のケース１の上面部、つまり、上ケース部１８の上面部１８ａに誤って人が乗ったりすると、上ケース部１８の上面部１８ａに重力方向の荷重４００〜７００Ｎが作用して上ケース部１８の上面部１８ａが下方に撓むが、上面部１８ａが限度を越えて過剰に撓んで変形する手前（つまり白化が生じる手前）の段階で温水タンク２に設けた支持部６であるリブ７により上記重力方向の荷重を支持し、ケース１の変形を最小限に制限し、ケース１が過剰に撓んで変形することで白化したり、あるいは損傷したりしないようにするものである。
【００４１】
本発明は、上記のように上ケース部１８の上面部１８ａに誤って人が乗ったりして重力方向に大きな荷重が作用した際に該荷重を支持して上面部１８ａの変形を抑制するに当たり、ケース１内に備わっている温水タンク２を有効に利用してケース１に作用する荷重を支持することに特徴があり、これにより別途特別な支持部材を必要としないものであり、また、温水タンク２は水を保管するため元々厚肉に形成されており、しかも、タンク構造であるため、支持強度も強いものであり、上ケース部１８を厚肉に形成したり、上ケース部１８の上面部１８ａの背面にリブを設けて補強するといった必要がなく、装置本体４の小型化が可能となるものである。また、図５に示すように上ケース部１８がドーム形状をせずに上面部１８ａが平坦な形状とすると、ドーム形状のものに比べて剛性が低いが、このように剛性が低いものであっても、上記のように温水タンク２の上面部に設けた支持部６により上ケース部１８の上面部１８ａに作用した荷重を支持できるので、上ケース部１８の肉厚を厚くしたり、背面にリブを設けたりすることなく、上ケース部１８を構成でき、これにより上ケース部１８の形状の自由度が増すものである。
【００４２】
また、上記のように厚肉で且つ構造的に強度の強いタンク構造の温水タンク２でケース１に作用する重力方向の荷重を支持するので、制御部２９を構成する回路基板に荷重が作用して悪影響を与えるといったことがないものである。
【００４３】
温水タンク２に設ける支持部６はケース１の上面部（つまり上ケース部１８の上面部１８ａ）の略中央部に対応した位置に配置することが好ましく、このように上ケース部１８の上面部１８ａの略中央部に対応した位置に支持部６を配置することで上ケース部１８の上面部１８ａに作用した重力方向の荷重を上面部１８ａの略中央部において支持部６により効果的に安定して支持できるものである。
【００４４】
図１乃至図３に示す実施形態では、温水タンク２の上面部２ｂに支持部６となるリブ７を環状に突設し、この環状のリブ７が上ケース部１８の上面部１８ａの略中央部に対応した位置に位置するように構成してある。ここで、添付図面に示す実施形態では下ケース部１７の略中央部に温水タンク２を設置し、上ケース部１８の上面部１８ａの略中央部に対応する位置に温水タンク２の支持部６が位置するように配置した例を示しているが、温水タンク２の上面部２ｂの端部側に偏った位置に支持部６を設けておくと、温水タンク２全体としては下ケース部１７の略中央部からずれて設置しても温水タンク２の一端部の支持部６を設けた部位を上ケース部１８の上面部１８ａの略中央部に対応して位置させることが可能となる。
【００４５】
図１に示す実施形態においては、上ケース部１８の上面部１８ａに温水洗浄便座装置１４の電源のオン、オフ、脱臭装置３５等のオン、オフ等を点灯により表示するためのＬＥＤのような表示部８又は人体検知センサが設けてあり、上ケース部１８の上面部１８ａの背面側に上記表示部８又は人体検知センサの制御回路板９を取付けてある。
【００４６】
ここで、ケース１上面部の背面に取付けた制御回路板９と温水タンク２との間の隙間ｔ２の寸法を、ケース１上面部の背面の制御回路板９の取付け部分の両側方の部位と上記支持部６との間の隙間ｔ１の寸法よりも大きくしてあり、ケース１上面部に作用した重力方向の荷重でケース１の上面部が下方に撓んで温水タンク２に設けた支持部６に当たって支持する際に、ケース１の上面部の背面側に設けた上記制御回路板９が温水タンク２や支持部６に衝突しないようになっていて、制御回路板９の破損を防止するようになっている。
【００４７】
ケース１上面部の背面に取付けた制御回路板９と温水タンク２との間の隙間ｔ２の寸法を、ケース１上面部の背面の制御回路板９の取付け部分の両側方の部位と上記支持部６との間の隙間ｔ１の寸法よりも大きくするに当たっては、添付図面に示す実施形態では上ケース部１８の一部に表面側が上方に凸曲し且つ裏面側が凹んだ凸曲部３１を形成し、この凸曲部３１の表面側に表示部８又は人体検知センサを位置させ、凸曲部３１の背面側の収納凹所３２内に表示部８又は人体検知センサの制御回路板９を配置して取付けてあり、また、リブ７の上記制御回路板９に対応する部位を図２のように凹ませて凹部３３としてあって、リブ７の凹部３３の部分は支持部６となっておらず、リブ７の凹部３３の両側方の部位が支持部６となって上ケース部１８の上面部１８ａに作用した重力方向の荷重で上ケース部１８の上面部１８ａが下方に撓んだ際に上記リブ７の凹部３３の両側方の支持部６となった部分に当たって支持されるようになっており、この時、凸曲部３１の背面の収納凹所３２内に配置して取付けた制御回路板９と凹部３３の底部との間の隙間ｔ２の寸法が、リブ７の凹部３３の両側方の支持部６と上ケース部１８の上面部１８ａの背面との間の隙間ｔ１の寸法よりも大きいので、上ケース部１８の上面部１８ａに作用した重力方向の荷重で上ケース部１８の上面部１８ａが下方に撓んで記リブ７の凹部３３の両側方の支持部６となった部分に当たって支持された時に、制御回路板９が温水タンク２（つまり実施形態では温水タンク２の上面部２ｂに設けたリブ７）に衝突することがなく、制御回路板９が損傷しないようになっている。
【００４８】
この場合、リブ７に凹部３３を設けることなく、上ケース部１８に上記のように収納凹所３２を設けて収納凹所３２に制御回路板９を配設して取付けることで、上記隙間ｔ１の寸法よりも大きい寸法の隙間ｔ２を形成してもよく、また、上ケース部１８に収納凹所３２を設けることなく、リブ７に凹部３３を設けることで、上記隙間ｔ１の寸法よりも大きい寸法の隙間ｔ２を形成してもよい。
【００４９】
また、図１、図２に示すように、上ケース部１８の上面部１８ａの背面よりも下方位置で且つ支持部６と同じレベルか又は支持部６よりも上方位置に、ケース１の下方への撓み変形によりケース１が接触することで温水洗浄便座装置１４の電源をオフにするためのリミットスイッチのような接触センサ１０を設けてもよい。このように接触センサ１０を設けると、上ケース部１８の上面部１８ａに重力方向の荷重が作用した時、上ケース部１８の上面部１８ａが下方に向けて撓んで上面部１８ａが支持部６に支持されるのと同時に又は支持部６により支持される直前に接触センサ１０に上面部１８ａが当たって、上面部１８ａが撓んだこと（つまり、人が誤って上面部１８ａに乗ったこと）を検知して温水洗浄便座装置１４の電源をオフにして使用者の安全を図るようになっている。
【００５０】
温水タンク２の上面部２ｂには図１乃至図３に示す実施形態や図７に示す実施形態のように弾性部材１１を設けるようにしてもよい。弾性部材１１としては例えば、図１乃至図３に示す実施形態ではコイルばね１１ａであり、図７の実施形態ではゴムあるいは合成樹脂発泡体よりなるクッション材であり、いずれの実施形態でも弾性部材１１の上端が支持部６よりも上方に位置している。添付図面に示す実施形態では温水タンク２の上面部２ｂに下端部を取付けた弾性部材１１の上端部が上ケース部１８の上面部１８ａの背面に当接している。
【００５１】
このように、温水タンク２の上面部に弾性部材１１を設け、該弾性部材１１の上端を支持部６よりも上方に位置させることで、人が乗ったりして上ケース部１８の上面部１８ａに重力方向の荷重が作用した場合、弾性部材１１により衝撃を緩衝することができると共に、上方から作用する荷重を支持部６で支持するだけでなく弾性部材１１により分散して温水タンク２上面部に伝えて支持でき、温水タンク２の一部に集中荷重がかかるのを防止し、温水タンク２が破壊されるのを防止できることになる。
【００５２】
ところで、上ケース部１８の上面部１８ａに人が乗ったりして荷重が作用した場合、上面部１８ａが下方に撓むだけでなく、横方向にもずれる場合がある。このような横方向のずれを防止するために、本発明においては、上ケース部１８の上面部１８ａの背面側に横ずれ防止部１２を設け、温水タンク２の上面部２ｂに上記横ずれ防止部と横方向に対向してケース１の横方向のずれの際に横ずれ防止部１２が当接するための横ずれ防止用当たり部１３を設けてある。上面部１８ａの背面側に横ずれ防止部１２を設けるに当たっては、例えば、図２（ｂ）に示すように上記凸曲部３１の背面の収納凹所３２の両内側面を横ずれ防止部１２とし、リブ７の収納凹所３２の両内側面横ずれ防止部１２に対して横方向に対向する位置に図８示すような横ずれ防止用当たり部１３を突設することで、上ケース部１８の横ずれも防止することができる。横ずれ防止部１２、横ずれ防止用当たり部１３は上記例にのみ限定されず、収納凹所３２以外の箇所に横ずれ防止部１２を設け、温水タンク２に上記横ずれ防止部１２に対して横方向に対向する位置に横ずれ防止用当たり部１３を設けるようにしてもよい。
【００５３】
また、上記図８に示す実施形態や、図９に示す実施形態のように、温水タンク２の側壁２ａの直上に支持部６を設けてもよい。このように温水タンク２の側壁２ａの直上に支持部６を設けると、上ケース部１８の上面部１８ａに重力方向の荷重が作用した場合、荷重を支持部６から温水タンク２の側壁２ａに直接伝えることができ、これにより温水タンク２の上面部２ｂに荷重が集中してかかることによって温水タンク２が破壊するのを防止するようになっている。
【００５４】
なお、上記各実施形態では、温水タンク２の上面部２ａにリブ７を一体に突設して該リブ７を支持部６とした例を示したが、リブ７を設けることなく、温水タンク２の上面部２ａをそのまま支持部６としてもよい。
【００５５】
また、上記各実施形態では、上ケース部１８の上面部１８ａに荷重が作用しない通常使用状態で上ケース部１８の上面部１８ａの背面と支持部６との間に隙間を形成しているが、通常の状態で支持部６が上ケース部１８の上面部１８ａの背面に当接していてもよい。
【図面の簡単な説明】
【００５６】
【図１】本発明の一実施形態の上ケース部を取付ける前の状態の平面図である。
【図２】（ａ）は同上の上ケース部を取付けた状態の図１のＡ−Ａ線の断面図であり、（ｂ）は要部拡大断面図である。
【図３】同上の上ケース部を取付けた状態の図１のＢ−Ｂ線の断面図である。
【図４】同上の温水洗浄便座装置を便器に取付けた状態を示し、（ａ）は便座、便蓋を倒した状態を示す斜視図であり、（ｂ）は便蓋のみを起立させた使用状態を示す斜視図である。
【図５】同上に用いる装置本体の斜視図である。
【図６】（ａ）（ｂ）はそれぞれ同上の下ケース部の下連結部と上ケース部の上連結部との連結部分の断面図である。
【図７】本発明の更に他の実施形態の断面図である。
【図８】本発明の温水タンクに設けたリブに更に横ずれ防止用当たり部を設けた例を示す斜視図である。
【図９】同上の温水タンクの側壁の直上に支持部を設けた例を示す斜視図である。
【符号の説明】
【００５７】
１  ケース
２  温水タンク
３  洗浄ノズル
４  装置本体
５  便座
６  支持部
７  リブ
８  表示部
９  制御回路板
１０  接触センサ
１１  弾性部材
１２  横ずれ防止部
１３  横ずれ防止用当たり部
【図１】
2006016823.tif 000003
【図２】
2006016823.tif 000004
【図３】
2006016823.tif 000005
【図４】
2006016823.tif 000006
【図５】
2006016823.tif 000007
【図６】
2006016823.tif 000008
【図７】
2006016823.tif 000009
【図８】
2006016823.tif 000010
【図９】
2006016823.tif 000011